(57)【特許請求の範囲】
【請求項１】
マイクを備えたセンサーユニットと通信可能なコンピューターに処理を実行させるプログラムであって、
前記コンピューターには、乳幼児が泣いている原因が複数記憶されており、且つ、各前記原因に対応する対処方法が複数記憶されており、
前記コンピューターには、前記対処方法に関連する情報が記憶されており、
前記処理は、
前記乳幼児が泣き始めた後に、前記センサーユニットから出力された信号に基づいて、前記乳幼児が泣いている原因を推定する推定処理、
前記推定処理に基づいて、前記乳幼児に対する対処方法を、前記コンピューターを介して報知する対処方法報知処理、
前記センサーユニットから出力された信号に基づいて、前記乳幼児が泣き止んだことを検知する検知処理、
前記検知処理に基づいて、前記コンピューターを介して、前記乳幼児が泣き止んだ後に、育児者を褒めるメッセージ又は育児者の労をねぎらうメッセージを報知するねぎらい報知処理、及び、
前記ねぎらい報知処理と同時又はねぎらい報知処理後に、前記対処方法に関連した情報の提供を行う情報提供処理、を備え、
前記推定処理は、前記マイクから出力された信号の周波数に基づいて、前記複数の原因から特定の原因を選択する処理であり、
前記対処方法報知処理は、前記推定処理において選択された前記特定の原因に対応する対処方法を、前記複数の対処方法から選択する処理を有し、
前記情報提供処理は、前記育児者が前記乳幼児に対して行った対処に基づいて、前記コンピューターに記憶された情報の中から選択された情報を画面に表示する処理である
ことを特徴とするプログラム。
【請求項２】
請求項１に記載のプログラムであって、
前記コンピューターに、
前記検知処理に基づいて、前記コンピューターを介して、前記乳幼児が泣き止んだことを報知する泣き止み報知処理と、
を実行させることを特徴とするプログラム。
【請求項３】
請求項１又は２に記載のプログラムであって、
前記コンピューターに、
前記乳幼児が泣き止んだ後に、予め選択肢として準備された複数の行為のうちから選択された、前記乳幼児に対して最後に行なった行為の入力を受け付ける受付処理と、を実行させ、
入力された前記行為の情報を、前記推定処理に用いることを特徴とするプログラム。
【請求項４】
請求項１に記載の前記対処方法報知処理若しくは前記ねぎらい報知処理、又は、請求項２に記載の前記泣き止み報知処理において、
報知すべきメッセージを、予め準備されていたアドバイザーの画像とともに画面に表示させることを特徴とするプログラム。
【請求項５】
請求項４に記載のプログラムであって、  前記アドバイザーの画像は、予め準備された複数の画像から選択可能とされていることを特徴とするプログラム。
【請求項６】
請求項１に記載の前記対処方法報知処理、又は請求項２に記載の前記泣き止み報知処理において、
報知すべきメッセージを、予め準備されていた前記乳幼児の画像とともに画面に表示させることを特徴とするプログラム。
【請求項７】
請求項１に記載の前記対処方法報知処理、又は請求項２に記載の前記泣き止み報知処理において、
報知すべきメッセージを、予め準備されていた前記乳幼児の動画とともに画面に表示させ、
前記動画は、予め準備された動画の一部に、前記コンピューターに取り込まれた前記乳幼児の写真を合成したものであることを特徴とするプログラム。
【請求項８】
マイクを備えたセンサーユニットの検知結果を用いて、前記センサーユニットと通信可能なコンピューターが、乳幼児が泣き始めた後に、前記乳幼児が泣いている原因を推定する推定ステップと、
前記コンピューターが、前記推定ステップに基づいて、前記乳幼児に対する対処方法を報知する対処方法報知ステップと、
前記コンピューターが、前記センサーユニットから出力された信号に基づいて、前記乳幼児が泣き止んだことを検知する検知ステップと、
前記コンピューターが、前記検知ステップにおける検知に基づいて、前記乳幼児が泣き止んだ後に、育児者を褒めるメッセージ又は育児者の労をねぎらうメッセージを報知するねぎらい報知ステップ、及び、
前記ねぎらい報知ステップにおける報知と同時又は報知後に、前記対処方法に関連した情報の提供を行う情報提供ステップ、
を備える育児支援方法であって、
前記コンピューターには、乳幼児が泣いている原因が複数記憶されており、且つ、各前記原因に対応する対処方法が複数記憶されており、
前記コンピューターには、前記対処方法に関連する情報が記憶されており、
前記推定ステップでは、前記マイクから出力された信号の周波数に基づいて、前記複数の原因から特定の原因を選択し、
前記対処方法報知ステップでは、前記推定ステップにおいて選択された前記特定の原因に対応する対処方法を、前記複数の対処方法から選択し、
前記情報提供ステップでは、前記育児者が前記乳幼児に対して行った対処に基づいて、前記コンピューターに記憶された情報の中から選択された情報を画面に表示する
ことを特徴とする育児支援方法。
【請求項９】
マイクを備えたセンサーユニットと通信可能な育児支援システムであって、
乳幼児が泣き始めた後に、前記センサーユニットから出力された信号に基づいて、前記乳幼児が泣いている原因を推定する推定処理部と、
前記推定処理部の処理に基づいて、前記乳幼児に対する対処方法を報知する対処方法報知処理部と、
前記センサーユニットから出力された信号に基づいて、前記乳幼児が泣き止んだことを検知する検知部と、
前記検知部の検知に基づいて、前記乳幼児が泣き止んだ後に、育児者を褒めるメッセージ又は育児者の労をねぎらうメッセージを報知するねぎらい報知部と、
前記ねぎらい報知部による報知と同時又は報知後に、前記対処方法に関連した情報の提供を行う情報提供部と、
を備える育児支援システムであって、
乳幼児が泣いている原因が複数記憶されており、且つ、各前記原因に対応する対処方法が複数記憶されており、
前記対処方法に関連する情報が記憶されており、
前記推定処理部は、前記マイクから出力された信号の周波数に基づいて、前記複数の原因から特定の原因を選択し、
前記対処方法報知処理部は、前記推定処理部が選択した前記特定の原因に対応する対処方法を、前記複数の対処方法から選択し、
前記情報提供部は、前記育児者が前記乳幼児に対して行った対処に基づいて、記憶された情報の中から選択された情報を画面に表示する
ことを特徴とする育児支援方法。
【発明の詳細な説明】
【技術分野】
【０００１】
本発明は、育児支援のために用いられるプログラム、育児支援方法、育児支援システム、及び乳幼児用センサー装置に関する。
【背景技術】
【０００２】
乳幼児は、言葉によるコミュニケーションが不十分であるため、育児に不慣れな者にとっては、乳幼児の状態を知ることが難しい。体の状態をモニタリングする方法としては、対象者の腕等に携帯型フィットネスモニタリングシステムを装着してモニターする方法が特許文献１に記載されており、スマートフォン等の携帯端末と通信させて利用する技術開発が近年進められている。
【先行技術文献】
【特許文献】
【０００３】
【特許文献１】特開２０１０−２６７２６７号
【発明の概要】
【発明が解決しようとする課題】
【０００４】
しかし、このモニタリング方法は、アスリートなどの大人を対象としたものであり、乳幼児を対象として育児に役立てることは困難である。
【０００５】
本発明は、上記のような問題に鑑みてなされたものであって、その目的とするところは、育児を支援することを目的として、乳幼児の状態を知ることができるプログラムを提供することにある。
【課題を解決するための手段】
【０００６】
上記目的を達成するための主たる発明は、
マイクを備えたセンサーユニットと通信可能なコンピューターに処理を実行させるプログラムであって、
前記コンピューターには、乳幼児が泣いている原因が複数記憶されており、且つ、各前記原因に対応する対処方法が複数記憶されており、
前記コンピューターには、前記対処方法に関連する情報が記憶されており、
前記処理は、
前記乳幼児が泣き始めた後に、前記センサーユニットから出力された信号に基づいて、前記乳幼児が泣いている原因を推定する推定処理、
前記推定処理に基づいて、前記乳幼児に対する対処方法を、前記コンピューターを介して報知する対処方法報知処理、
前記センサーユニットから出力された信号に基づいて、前記乳幼児が泣き止んだことを検知する検知処理、
前記検知処理に基づいて、前記コンピューターを介して、前記乳幼児が泣き止んだ後に、育児者を褒めるメッセージ又は育児者の労をねぎらうメッセージを報知するねぎらい報知処理、及び、
前記ねぎらい報知処理と同時又はねぎらい報知処理後に、前記対処方法に関連した情報の提供を行う情報提供処理、を備え、
前記推定処理は、前記マイクから出力された信号の周波数に基づいて、前記複数の原因から特定の原因を選択する処理であり、
前記対処方法報知処理は、前記推定処理において選択された前記特定の原因に対応する対処方法を、前記複数の対処方法から選択する処理を有し、
前記情報提供処理は、前記育児者が前記乳幼児に対して行った対処に基づいて、前記コンピューターに記憶された情報の中から選択された情報を画面に表示する処理であることを特徴とするプログラムである。
本発明の他の特徴については、本明細書及び添付図面の記載により明らかにする。
【発明の効果】
【０００７】
乳幼児が泣いている原因がコンピューターによって推定され、その推定に基づいて、乳幼児に対する対処方法がコンピューターを介して報知される（例えば、コンピューターの画面上のメッセージ表示により報知される）から、泣いている原因に応じた適切な対処方法を育児者に提示することが可能となる。
【図面の簡単な説明】
【０００８】
【図１】本実施形態に係る育児支援システム１を説明する図である。
【図２】端末３の機能上の構成を示すブロック図である。
【図３】本実施形態に係る育児支援方法の処理手順を示すフロー図である。
【図４】本実施形態の泣き始め報知処理を説明する図である。
【図５】原因情報ＤＢ３２１に格納された乳幼児が泣いている原因情報テーブルである。
【図６】アドバイザーＤＢ３２５に格納されたアドバイザーとなる人物画像データである。
【図７Ａ】対処方法（Ａ）情報ＤＢ３２２に格納された対処方法（Ａ）情報テーブルである。
【図７Ｂ】対処方法（Ｂ）情報ＤＢ３２３に格納された対処方法（Ｂ）情報テーブルである。
【図８】本実施形態の対処方法報知処理を説明する図である。
【図９】ねぎらい情報ＤＢ３２４に格納されたねぎらい情報テーブルである。
【図１０】その他の実施形態に係るセンサー装置２の装着部材１０とセンサーユニット２０の概略斜視図である。
【発明を実施するための形態】
【０００９】
本明細書及び添付図面の記載により、少なくとも以下の事項が明らかとなる。
乳幼児に装着されたセンサーユニットと通信可能なコンピューターに、前記乳幼児が泣き始めた後に、前記センサーユニットから出力された信号に基づいて、前記乳幼児が泣いている原因を推定する推定処理と、前記推定処理に基づいて、前記乳幼児に対する対処方法を、前記コンピューターを介して報知する対処方法報知処理と、を実行させることを特徴とするプログラム。
【００１０】
このようなプログラムによれば、乳幼児が泣いている原因がコンピューターによって推定され、その推定に基づいて、乳幼児に対する対処方法がコンピューターを介して報知される（例えば、コンピューターの画面上のメッセージ表示により報知される）から、泣いている原因に応じた適切な対処方法を育児者に提示することが可能となる。
【００１１】
かかるプログラムであって、前記コンピューターに、前記センサーユニットから出力された信号に基づいて、前記乳幼児が泣き始める前に、泣き始めることを予測する予測処理と、前記予測処理に基づいて、前記乳幼児が泣き始める前に、前記コンピューターを介して、前記乳幼児が泣き始めることを報知する泣き始め報知処理と、を実行させる、ことが望ましい。
【００１２】
このようなプログラムによれば、乳幼児が泣き始める前に、コンピューターを介して、乳幼児が泣き始めることが報知されるから、育児者は、乳幼児が泣き始めても慌てずに対処することが可能となる。
【００１３】
かかるプログラムであって、前記コンピューターに、前記センサーユニットから出力された信号に基づいて、前記乳幼児が泣き止んだことを検知する検知処理と、前記検知処理に基づいて、前記コンピューターを介して、前記乳幼児が泣き止んだことを報知する泣き止み報知処理と、を実行させる、ことが望ましい。
【００１４】
このようなプログラムによれば、コンピューターを介して、乳幼児が泣き止んだことが報知されるから、一人だけで育児をしているという育児者の感覚を緩和することが可能となる。
【００１５】
かかるプログラムであって、前記コンピューターに、前記センサーユニットから出力された信号に基づいて、前記乳幼児が泣き止んだことを検知する検知処理と、前記検知処理に基づいて、前記コンピューターを介して、前記乳幼児が泣き止んだ後に、育児者を褒めるメッセージ又は育児者の労をねぎらうメッセージを報知するねぎらい報知処理と、を実行させる、ことが望ましい。
【００１６】
このようなプログラムによれば、乳幼児が泣き止んだ後に、育児者を褒めるメッセージ又は育児者の労をねぎらうメッセージが報知されるから、例えば、育児者に対して達成感を感じさせたり、育児の楽しさを実感させたりすること等が可能となる。
【００１７】
かかるプログラムであって、前記コンピューターに、前記センサーユニットから出力された信号に基づいて、前記乳幼児が泣き止んだことを検知する検知処理と、前記乳幼児が泣き止んだ後に、予め選択肢として準備された複数の行為のうちから選択された、前記乳幼児に対して最後に行なった行為の入力を受け付ける受付処理と、を実行させ、入力された前記行為の情報を、前記推定処理に用いる、ことが望ましい。
【００１８】
このようなプログラムによれば、乳幼児に対して最後に行なった行為の情報を推定処理に用いることで、推定処理の推定精度を向上させることが可能となる。
【００１９】
かかるプログラムであって、前記対処方法報知処理、前記泣き始め報知処理、前記泣き止み報知処理、又は、前記ねぎらい報知処理において、報知すべきメッセージを、予め準備されていたアドバイザーの画像とともに、前記コンピューターの画面に表示させる、ことが望ましい。
【００２０】
このようなプログラムによれば、報知すべきメッセージが、予め準備されていたアドバイザーの画像とともにコンピューターの画面に表示されるから、一人だけで育児をしているという育児者の感覚を緩和することが可能となる。
【００２１】
かかるプログラムであって、前記アドバイザーの画像は、予め準備された複数の画像から選択可能とされている、ことが望ましい。
【００２２】
このようなプログラムによれば、育児者の好みに合ったアドバイザー（おばあちゃん、ナース等）を選択できるから、より一層、一人だけで育児をしているという育児者の感覚を緩和することが可能となる。
【００２３】
かかるプログラムであって、前記対処方法報知処理、前記泣き始め報知処理、又は前記泣き止み報知処理において、報知すべきメッセージを、予め準備されていた前記乳幼児の画像とともに、前記コンピューターの画面に表示させる、ことが望ましい。
【００２４】
このようなプログラムによれば、報知すべきメッセージが、予め準備されていた乳幼児の画像とともにコンピューターの画面に表示されるから、当該メッセージに、より現実味を付与することが可能となる。
【００２５】
かかるプログラムであって、前記対処方法報知処理、前記泣き始め報知処理、又は前記泣き止み報知処理において、報知すべきメッセージを、予め準備されていた前記乳幼児の動画とともに、前記コンピューターの画面に表示させ、前記動画は、予め準備された動画の一部に、前記コンピューターに取り込まれた前記乳幼児の写真を合成したものである、ことが望ましい。
【００２６】
このようなプログラムによれば、報知すべきメッセージが、予め準備されていた乳幼児の動画とともにコンピューターの画面に表示されるから、当該メッセージに、より一層現実味を付与することが可能となる。
【００２７】
かかるプログラムであって、前記コンピューターに、前記センサーユニットから出力された信号に基づいて、前記乳幼児が泣き始める前に、泣き始めることを予測する予測処理と、前記予測処理に基づいて、前記乳幼児が泣き始める前に、前記コンピューターを介して、前記乳幼児が泣き始めることを報知する泣き始め報知処理と、前記乳幼児が泣き始めた後の、前記推定処理と、前記推定処理に基づく、前記対処方法報知処理と、前記センサーユニットから出力された信号に基づいて、前記乳幼児が泣き止んだことを検知する検知処理と、前記検知処理に基づいて、前記コンピューターを介して、前記乳幼児が泣き止んだことを報知する泣き止み報知処理と、前記検知処理に基づいて、前記コンピューターを介して、前記乳幼児が泣き止んだ後に、育児者を褒めるメッセージ又は育児者の労をねぎらうメッセージを報知するねぎらい報知処理と、を実行させ、前記対処方法報知処理、前記泣き始め報知処理、前記泣き止み報知処理、及び前記ねぎらい報知処理において、報知すべきメッセージを、予め準備されていたアドバイザーの画像とともに、前記コンピューターの画面に表示させる、ことが望ましい。
【００２８】
このようなプログラムによれば、乳幼児が泣いている原因が推定され、その推定に基づいて、乳幼児に対する対処方法が報知される（例えば、コンピューターの画面上のメッセージ表示により報知される）から、泣いている原因に応じた適切な対処方法を育児者に提示することが可能となる。
【００２９】
乳幼児に装着されたセンサーユニットの検知結果を用いて、前記センサーユニットと通信可能なコンピューターが、前記乳幼児が泣き始めた後に、前記乳幼児が泣いている原因を推定する推定ステップと、前記センサーユニットと通信可能なコンピューターが、前記推定ステップに基づいて、前記乳幼児に対する対処方法を報知する対処方法報知ステップと、を備えることを特徴とする育児支援方法、が望ましい。
【００３０】
このような育児支援方法によれば、乳幼児が泣いている原因が推定され、その推定に基づいて、乳幼児に対する対処方法が報知される（例えば、コンピューターの画面上のメッセージ表示により報知される）から、泣いている原因に応じた適切な対処方法を育児者に提示することが可能となる。
【００３１】
また、乳幼児に装着されたセンサーユニットと通信可能な育児支援システムであって、前記乳幼児が泣き始めた後に、前記センサーユニットから出力された信号に基づいて、前記乳幼児が泣いている原因を推定する推定処理部と、前記推定処理部の処理に基づいて、前記乳幼児に対する対処方法を報知する対処方法報知処理部と、を備える、ことが望ましい。
【００３２】
このような育児支援システムによれば、乳幼児が泣いている原因が推定され、その推定に基づいて、乳幼児に対する対処方法が報知される（例えば、コンピューターの画面上のメッセージ表示により報知される）から、泣いている原因に応じた適切な対処方法を育児者に提示することが可能となる。
【００３３】
乳幼児から取得される情報をコンピューターに出力するための乳幼児用センサー装置であって、乳幼児の手又は足に装着するための装着部材と、前記センサーユニットと、を有し、前記センサーユニットは前記装着部材に対して着脱可能であること、が望ましい。
【００３４】
このような乳幼児用センサー装置は、乳幼児の身体に直接装着する装着部材とセンサーユニットとを別部材で構成している。よって、装着部材からセンサーユニットを取り外すことで、汚れやすい装着部材のみを洗う（または装着部材のみを取り替える）ことができる。よって、乳幼児用センサー装置を衛生的に取り扱うことが可能となる。
【００３５】
＝＝＝実施形態＝＝＝
＜育児支援システムの構成＞
図１は、本実施形態にかかる育児支援システム１を説明する図である。育児支援システム１は、乳幼児用センサー装置（センサーユニット）（以下、「センサー装置」という。）２と端末（コンピューター）３とを含んで構成される。センサー装置２と端末３との通信は、無線または有線によりリアルタイムで行うことができる。
【００３６】
＜センサー装置２＞
本実施形態におけるセンサー装置２は、乳幼児の手または足等に装着され、乳幼児から取得される各種情報を端末３に出力するための装置である。本実施形態において、乳幼児とは、小学校に就学する前の子供をいい、例えば、６歳未満の児をいう。図１では、センサー装置２が乳幼児の手に装着された例を示す。センサー装置２は、「乳幼児用センサー装置」の一例である。
本実施形態において、センサー装置２は、センサーユニットであり、皮膚電位センサー（図示せず）及びマイク（図示せず）を含んでいる。なお、センサー装置２は、乳幼児の手や足に装着するものに限られず、頭部や胴体等に装着され、脳波センサーや心拍センサー、熱センサーを含むものとしてもよい。また、センサー装置２を所謂「使い捨て」タイプのものとし、手、足、頭部、胴体等に貼りつけて使用し、使用後に廃棄することとしてもよい。
【００３７】
＜端末３＞
端末３は、センサー装置２から出力された情報を受信し、各種の処理を行い、その結果を表示部３ａに表示させる。端末３は、たとえばスマートフォンやタブレット端末である。端末３は、ダウンロードしたプログラムを実行することで育児支援に関する各種の処理（後述）を実行する。
【００３８】
図２は、端末３の機能上の構成を示すブロック図である。本実施形態の端末３は、制御部３１、記憶部３２、入力部３３、表示部３４、及び通信部３５を有している。
【００３９】
制御部３１は、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。また、制御部３１は、予測処理部３１１、泣き始め報知処理部３１２、検知部３１３、推定処理部３１４、対処方法報知処理部３１５、泣き止み報知処理部３１６、ねぎらい報知処理部３１７、及び受付処理部３１８を有している。
【００４０】
記憶部３２は、原因情報ＤＢ３２１、対処方法（Ａ）情報ＤＢ３２２、対処方法（Ｂ）情報ＤＢ３２３、ねぎらい情報ＤＢ３２４、アドバイザーＤＢ３２５、乳幼児の写真ＤＢ３２６、情報提供ＤＢ３２７、及び育児者行為ＤＢ３２８を有している。
原因情報ＤＢ３２１には、乳幼児が泣いている原因データが格納されている。
対処方法（Ａ）情報ＤＢ３２２には、乳幼児に対する対処方法データが格納されている。
対処方法（Ｂ）情報ＤＢ３２３には、乳幼児に対する対処方法データが格納されている。
ねぎらい情報ＤＢ３２４には、ねぎらいの言葉データが格納されている。
アドバイザーＤＢ３２５には、アドバイザーとなる人物画像データが格納されている。
乳幼児の写真ＤＢ３２６には、乳幼児の顔写真データが格納されている。
情報提供ＤＢ３２７には、対処方法に関連した情報が格納されている。
育児者行為ＤＢ３２８には、育児者の行為データが格納されている。
【００４１】
入力部３３は、端末３を使用する育児者（以下、「育児者」という。）が入力するものであり、タッチパネルのタップ操作により実現される。
表示部３４は、制御部３１からの指令に基づいて各種の情報を表示する画面である。
通信部３５は、センサー装置２（センサーユニット２０）と通信を行い、信号を受信する受信部としての機能を有している。
【００４２】
＜育児支援方法＞
図３は、本実施形態に係る育児支援方法の処理手順を示すフロー図である。
まず、予測処理部３１１は、通信部３５が受信した、センサー装置２の皮膚電位センサーからの信号を処理して、電気皮膚反応により、乳幼児が泣き始めることを予測する予測処理を行う（Ｓ１１）。電気皮膚反応（Ｇａｌｖａｎｉｃ  Ｓｋｉｎ  Ｒｅｓｐｏｎｓｅ）とは、肌の電気伝導度を測定するもので、乳幼児の体温や発汗等による肌の電位変化によって、乳幼児が泣き出すことを予測する。なお、本実施形態においては、皮膚電位センサーを用いて乳幼児が泣き出すことを予測することとしたが、その他心拍センサーや脳波センサー、マイクを用いて、心拍数や脳波、呼吸の様子等を用いて予測してもよい。
【００４３】
予測処理部３１１が、乳幼児が泣き始めることを予測すると、泣き始め報知処理部３１２は、乳幼児が泣き始めることを報知する泣き始め報知処理を行う（Ｓ１２）。図４は、本実施形態の泣き始め報知処理を説明する図である。泣き始め報知処理は、端末３の画面に、乳幼児が泣き始める旨を表示する処理であり、乳幼児がもうすぐ泣き始める状態である旨を乳幼児の写真ＤＢ３２６に格納されている乳幼児の写真とともに表示して育児者に知らせる。これを見た育児者は、乳幼児がもうすぐ泣き出すことを、乳幼児が泣き始める前に知ることができるため、予め心構えをすることができ、乳幼児が泣き出しても慌てずに対処することができる。
【００４４】
続いて、検知部３１３は、乳幼児が泣いていることを検知する検知処理を行う（Ｓ１３）。検知部３１３は、通信部３５が受信した、マイクからの信号の周波数を解析して、乳幼児が泣いていることを検知する。乳幼児が泣き始めていない場合には、乳幼児が泣き始めるまで、検知処理を行い続ける。本実施形態においては、乳幼児が泣いていることをマイクを用いて検知することとしたが、心拍数や体温、皮膚血流量等を計測して検知してもよい。
【００４５】
乳幼児が泣いていることを検知すると、推定処理部３１４は、乳幼児が泣いている原因を推定する推定処理を行う（Ｓ１４）。推定処理は、推定処理部３１４が、通信部３５が受信した、マイクからの信号を処理して、乳幼児が泣いている原因を原因情報ＤＢ３２１から選択する処理である。図５は、原因情報ＤＢ３２１に格納された乳幼児が泣いている原因情報テーブルである。乳幼児が泣いている原因の選択は、マイクからの信号により得た乳幼児の泣き声の周波数を解析することで行う。例えば、乳幼児が空腹で泣いている場合、推定処理部３１４は、乳幼児の泣き声の周波数を解析して、原因情報ＤＢ３２１から『お腹が空いた』を選択する。
【００４６】
続いて、対処方法報知処理部３１５は、原因情報ＤＢ３２１から選択された原因に基づいて、乳幼児に対する対処方法を報知する対処方法報知処理を行う（Ｓ１５）。対処方法報知処理は、泣いている乳幼児に対する対処方法を表示する処理で、対処方法を、予め育児者がアドバイザーとして選択した人物画像とともに表示する。図６はアドバイザーＤＢ３２５に格納されたアドバイザーとなる人物画像データ、図７Ａは対処方法（Ａ）情報ＤＢ３２２に格納された対処方法（Ａ）情報テーブルである。
【００４７】
図６に示すように、アドバイザーＤＢ３２５には、おばあちゃん、看護師、医者など、育児に精通していると考えられる人物の画像がアドバイザーとして格納されており、育児者は、予め「この人物からのアドバイスが欲しい。」と思う人物を選択しておく。そして、対処方法報知処理部３１５は、推定処理で選択された乳幼児が泣いている原因に基づいて、図７Ａに示す対処方法情報テーブルの中から乳幼児に対する対処方法を選択する。そして、対処方法報知処理部３１５は、選択した対処方法とともに、予め選択しておいたアドバイザーの画像を端末３の画面に表示する。
【００４８】
例えば、推定処理における乳幼児が泣いている原因が『お腹が空いた』である場合、対処方法報知処理部３１５は、原因『お腹が空いた』に基づいて、対処方法（Ａ）情報ＤＢ３２２から『ミルクをあげて』を選択し、予め育児者がアドバイザーＤＢ３２５から選択しておいた「おばあちゃん」の画像とともに、『ミルクをあげて』のメッセージを端末３の画面に表示させる。図８は、本実施形態の対処方法報知処理を説明する図である。図８に示す画面を見た育児者は、「おばあちゃん」からアドバイスを受けたように感じることができ、泣いている乳幼児に対してミルクを飲ませる等の行為を行うことができる。このように、育児者は、泣いている乳幼児に対して、泣いている原因に応じた適切な対処方法を知ることができるため、泣いている乳幼児にどのように対応したらよいかわからないという事態を回避することができる。また、育児者の好みに合ったアドバイザーを選択することで、より一層、一人だけで育児をしているという感覚を緩和することができる。
【００４９】
その後、検知部３１３は、乳幼児が泣き止んだことを検知する検知処理を行う（Ｓ１６）。検知処理は、通信部３５が受信した、マイクからの信号の周波数を解析して、乳幼児が泣き止んだことを検知する。乳幼児が泣き止んでいない場合には、乳幼児が泣き止むまで検知処理を継続する。本実施形態においては、乳幼児が泣き止んだこともマイクを用いて検知することとしたが、心拍数や体温、皮膚血流量等を計測して検知してもよい。
【００５０】
検知部３１３が検知処理で乳幼児が泣き止んだことを検知すると、泣き止み報知処理部３１６は、乳幼児が泣き止んだことを報知する泣き止み報知処理を行う（Ｓ１７）。泣き止み報知処理は、育児者がアドバイザーＤＢ３２５の中から予め選択したアドバイザーの画像とともに、乳幼児が泣き止んだ旨を表示する処理である。例えば、育児者が「おばあちゃん」の画像をアドバイザーとして選択していた場合には、端末３の画面におばあちゃんの画像と『泣き止んだみたいね』の文字を表示して、育児者に乳幼児が泣き止んだことを知らせる。端末３の画面に乳幼児が泣き止んだことが報知されるため、これを見た育児者は、乳幼児が泣き止んだことを知ることができ、一人だけで育児をしているという育児者の感覚を緩和することができる。
【００５１】
その後、ねぎらい報知処理部３１７が、育児者を褒めたり、労をねぎらったりするメッセージを報知するねぎらい報知処理（Ｓ１９）を行う。図９は、ねぎらい情報ＤＢ３２４に格納されたねぎらい情報テーブルである。ねぎらい報知処理は、ねぎらい情報ＤＢ３２４の中に格納された、育児者を褒めるメッセージや育児者の労をねぎらうメッセージを、アドバイザーの画像とともに端末３の画面に表示させる処理である。例えば、育児者が乳幼児にミルクを与えたことで、乳幼児が泣き止んだときには、予めアドバイザーとして選択したおばあちゃんの画像とともに「よく頑張ったわね」のメッセージを表示する。このねぎらいメッセージを見た育児者は、達成感を感じることができたり、育児の楽しさを実感することができたり、一人だけで育児をしているという感覚を緩和することができる。このとき、ねぎらい報知処理部３１７は、ねぎらい情報ＤＢ３２４の中のメッセージを、育児者が行った対処に基づいて選択する。
【００５２】
ねぎらい報知と同時又はねぎらい報知後に、ねぎらい報知処理部３１７は、対処方法に関連した情報の提供を行う情報提供処理を行う（Ｓ２０）。情報提供処理は、ねぎらい報知処理部３１７が、育児者が乳幼児に対して行った措置に基づいて、情報提供ＤＢ３２７に格納された情報の中から選択して、端末３の画面に表示する処理である。情報提供ＤＢ３２７には、対処方法についての詳細知識や育児者が興味を持ちそうな情報が格納されており、育児に関する専門知識や、育児に関連する情報サイトや商品広告サイトのＵＲＬを表示したりする。例えば、乳幼児への対処としてミルクを与えた場合には、『ミルクを飲んだ後に乳幼児が眠り、起床後に、再度ミルクを飲ませても大丈夫よ。乳幼児は、決められた間隔でお腹が空くわけではないからね。』といった詳細知識を表示したりする。また、乳幼児への対処としておむつを交換した場合には、お奨めの紙おむつを紹介するＵＲＬを表示したりする。これにより、育児者は育児に関する知識を増やしたり、興味がある分野の見識を増やすことができる等、育児に慣れ、育児を楽しむきっかけを提供することができる。なお、この情報提供の表示も、アドバイザーの画像とともに表示させてもよい。アドバイザーの画像とともに表示することで、育児者一人だけで育児をしているという感覚を緩和することができる。
【００５３】
以上、本実施形態における育児支援に関する各種処理について説明したが、上述の処理のうち、推定処理及び対処方法報知処理を必須の構成として実行するものであり、その他の処理は、適宜選択して実行することができる。
【００５４】
＜センサー装置２＞
センサー装置２は、センサーユニットと一体として構成してもよく、また、乳幼児の身体に直接装着する装着部材とセンサーユニットとを別部材で構成してもよい。図１及び１０を参照しつつ、装着部材１０とセンサーユニット２０とを別部材で構成した場合のセンサー装置２の概略構成を説明する。
乳幼児から取得される情報を端末３に出力するためのセンサー装置２は、乳幼児の手または足に装着するための装着部材１０と、情報を取得する少なくとも一つのセンサーを含むセンサーユニット２０とを有し、センサーユニット２０は装着部材１０に対して着脱可能である。
【００５５】
装着部材１０は、センサーユニット２０を収容するための収容部１１を有することが好ましい。
また、収容部１１は、センサーユニット２０を出入するための開口部１２を有し、開口部１２は、収容部１１にセンサーユニット２０を入れた状態で開閉可能となっていることが好ましい。
装着部材１０は、係合可能な一対のベルト部材１４、１５を有し、ベルト部材１４、１５は、乳幼児の手または足のサイズに応じて係合位置が変更可能となっていることが好ましい。
また、装着部材１０は、水洗い可能で、布製であることが好ましい。
【００５６】
装着部材１０の開口部１２の内側には面ファスナー１３ａ、１３ｂが設けられており、開口部１２が面ファスナー１３ａ、１３ｂを用いて閉じられた際に、面ファスナー１３ａ、１３ｂは外部に露出しないことが好ましい。
【００５７】
センサーユニット２０は、外装ケース２１を含み、センサーは、乳幼児の声を収集するマイクを含み、センサーユニット２０の装着部材１０に対する出入方向において、外装ケース２１の、マイクが配置されている側に、穴２１ａが形成されていることが好ましい。
センサーユニット２０は外部に対して所定の警告を行う警告部（図示せず）を含み、警告部は、センサーからの出力が所定時間無い場合に端末３から送信される警告信号に基づいて所定の警告を行うことが好ましい。
【００５８】
本実施形態によれば、核家族化が進み、従来のようにおばあちゃんやご近所の方に助けてもらうことが少なくなった近年においても、育児者が、心細く感じたり、不安に感じたりすることを軽減することができる。
【００５９】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００６０】
上述の実施形態では、乳幼児が泣き止んだことを検知する検知処理（Ｓ１６）を行った後、泣き止み報知処理（Ｓ１７）、ねぎらい報知処理（Ｓ１９）を行うこととしたが、この限りではない。乳幼児が泣き止んだことを検知する検知処理（Ｓ１６）を行った後、育児者が行った行為の入力を受け付ける入力受付処理（Ｓ１８）を行うこととしてもよい。対処方法報知処理（Ｓ１５）で表示された対処方法を行っても乳幼児が泣き止まず、育児者が別の措置をとり、それにより乳幼児が泣き止むという場合もある。この場合には、育児者が、乳幼児が泣き止む直前に行った行為を入力し、受付処理部３１８は、この入力結果を受け付ける。この入力結果を、今後の推定処理部３１４の推定処理に反映させることで、推定処理の推定精度を向上させることができる。なお、この入力受付処理は、育児者が行う行為を予め育児者行為ＤＢ３２８に準備しておく。例えば、『ミルクを与えた』、『おむつを交換した』、『抱っこした』等を項目として用意しておく。これにより、育児者は自らが行った行為をその育児者行為ＤＢ３２８の中から選択するだけで入力することができ、入力の手間を省くことができる。
【００６１】
例えば、対処方法報知処理（Ｓ１５）で、『ミルクをあげて』が報知され、育児者が乳幼児にミルクを与えても泣き止まなかったが、育児者の判断で乳幼児のおむつ交換を行うと乳幼児が泣き止んだ場合、泣き止み報知処理（Ｓ１７）により、乳幼児が泣き止んだことが報知され、そして、育児者が『おむつを交換した』を選択する入力受付処理（Ｓ１８）を行い、その後のねぎらい報知処理（Ｓ１９）へと進めることができる。これによって、乳幼児が泣いていた原因が『お腹が空いた』ではなく、『おしっこが出た』である可能性があり、この結果を推定処理に反映させることで、今後の推定結果の精度を向上させることができる。
【００６２】
上述の実施形態では、泣き始め報知処理を乳幼児の写真ＤＢ３２６の中の乳幼児の写真とともに報知し、対処方法報知処理及び泣き止み報知処理をアドバイザーＤＢ３２５の中から選択したアドバイザーの表示とともに行うこととしたが、この限りではない。泣き始め報知処理、対処方法報知処理、及び泣き止み報知処理は、それぞれ乳幼児の写真とともに報知しても、アドバイザーの表示とともに報知しても、乳幼児の写真及びアドバイザーの写真とを組み合わせて表示してもよい。これにより、育児者は好みに合った画像を選択することができ、より一層、一人だけで育児をしているという感覚を緩和することができたり、報知するアドバイスやメッセージに現実味を付与することができる。
【００６３】
例えば、対処方法報知処理の対処方法の報知を乳幼児の写真とともに表示することとした場合、対処方法報知処理部３１５は、対処方法（Ｂ）情報ＤＢ３２３に記載されている対処方法（Ｂ）情報テーブルの中から選択して、対処方法を端末３の画面に表示させる。図７Ｂは、対処方法（Ｂ）情報ＤＢ３２３に格納された対処方法（Ｂ）情報テーブルである。上述の実施形態においては、対処方法報知処理において、アドバイザーの画像の表示とともに『ミルクをあげて』のメッセージを表示していたが、乳幼児の写真とともに表示する場合には、『ミルクをちょうだい』のメッセージを表示する。このように、端末３の画面に表示する画像によって、対処方法の報知メッセージを変更することで、育児者は、報知メッセージを違和感なく受け取ることができる。
【００６４】
また、上述の実施形態では、泣き始め報知処理、対処方法報知処理、及び泣き止み報知処理は、乳幼児の写真ＤＢ３２６に格納された乳幼児の写真とともに表示することとしたが、この限りではない。予め記憶部３２内に乳幼児に関連する動画を格納しておき、この動画の一部に乳幼児の写真ＤＢ３２６の中の写真を合成させ、この動画とともに各報知メッセージを表示させることとしてもよい。これにより、各報知処理におけるメッセージに、より一層現実味を付与することができる。例えば、予め記憶部３２内に赤ちゃんが踊っている動画を保存し、その動画の中の赤ちゃんの顔の領域をブランクにしておく。報知処理部３１２、３１５、３１６は、乳幼児の写真ＤＢ３２６内の乳幼児の写真を動画の中の赤ちゃんの顔の領域に合成して、各報知メッセージとともに端末３の画面に表示させる。これにより育児者は、踊っている乳幼児がメッセージを発しているように見ることができ、一層現実味を感じ、育児おいての楽しみを実感することができる。
【００６５】
上述の実施形態では、各報知処理を端末３の画面に表示することとしたが、端末３にスピーカーを備えて音声や音楽、光等で報知することとしてもよい。これにより、育児者は、端末３を常に見ていなくても、各報知の情報を知ることができる。
【００６６】
また、センサー装置２（センサーユニット２０）と端末３との通信は、適宜用いることができる。無線パーソナルエリアネットワーク（ＷＰＡＮ）や無線ローカルエリアネットワーク（ＷＬＡＮ）のようなローカルネットワークで直接通信したり、インターネットのような無線広域ネットワーク（ＷＷＡＮ）を用いて通信したりすることとしてもよい。センサー装置２（センサーユニット２０）とサーバーとをネットワークを介して通信することとして、サーバーが各処理及びデータ管理を行い、端末３を表示画面として用いることとしてもよい。このとき、サーバーと端末３とを合わせてコンピューターとして扱うことができる。これにより、情報量が多くなっても、迅速な処理を可能とする。
【００６７】
また、上記の実施形態は、プログラムが前述した各種の処理をコンピューター又はマイクロプロセッサに実行させることにより実現可能である。この場合、全ての処理をプログラムとして準備していてもよいし、一部の処理をハードウェアに処理させ残りの処理をプログラムとして準備していてもよい。
また、実行可能なプログラムが記憶された非一時的なコンピューター可読媒体（non-transitory computer readable medium with an executable program thereon）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Read Only Memory）等がある。
【符号の説明】
【００６８】
１  育児支援システム
２  センサー装置（乳幼児用センサー装置、センサーユニット）
３  端末（コンピューター）
１０  装着部材
１１  収容部
１２  開口部
１３ａ、１３ｂ  面ファスナー
１４、１５  ベルト部材
２０  センサーユニット
２１  外装ケース、２１ａ  穴
３１  制御部
３１１  予測処理部
３１２  泣き始め報知処理部
３１３  検知部
３１４  推定処理部
３１５  対処方法報知処理部
３１６  泣き止み報知処理部
３１７  ねぎらい報知処理部
３１８  受付処理部
３２  記憶部
３２１  泣いている原因情報ＤＢ
３２２  対処方法（Ａ）情報ＤＢ
３２３  対処方法（Ｂ）情報ＤＢ
３２４  ねぎらい情報ＤＢ
３２５  アドバイザーＤＢ
３２６  乳幼児の写真ＤＢ
３２７  情報提供ＤＢ
３２８  育児者行為ＤＢ３２８
３３  入力部
３４  表示部
３５  通信部
【図１】
0006475978.tif 000002
【図２】
0006475978.tif 000003
【図３】
0006475978.tif 000004
【図４】
0006475978.tif 000005
【図５】
0006475978.tif 000006
【図６】
0006475978.tif 000007
【図７Ａ】
0006475978.tif 000008
【図７Ｂ】
0006475978.tif 000009
【図８】
0006475978.tif 000010
【図９】
0006475978.tif 000011
【図１０】
0006475978.tif 000012